(57)【要約】【課題】画像形成された転写媒体の画像読み取りを行う場合、ジョブの実行中においても画像読取部の保守動作を行うことを可能にする。【解決手段】画像形成装置は、画像データに基づいて転写媒体に画像形成を行う画像形成部と、ジョブを管理して画像形成を制御し、さらに、画像形成後の転写媒体を画像読取部で読み込んだ読取結果を取得して所定の処理を行うとともに、画像読取部に対する保守動作の制御が可能な制御部と、を有し、制御部は、ジョブに画像読取部による読み取りの設定がされているかを判定し、読み取りの設定がされていない場合、保守動作をジョブの出力と並行して実行可能な保守動作ジョブ並行モードにしてジョブの実行を可能にする。【選択図】図４
2018124348.tif 000002
【特許請求の範囲】
【請求項１】
画像データに基づいて転写媒体に画像形成を行う画像形成部と、
ジョブを管理して前記画像形成を制御し、さらに、画像形成後の前記転写媒体を画像読取部で読み込んだ読取結果を取得して所定の処理を行うとともに、前記画像読取部に対する保守動作の制御が可能な制御部と、を有し、
前記制御部は、前記ジョブに画像読取部による読み取りの設定がされているかを判定し、読み取りの設定がされていない場合、保守動作をジョブの出力と並行して実行可能な保守動作ジョブ並行モードにして前記ジョブの実行を可能にすることを特徴とする画像形成装置。
【請求項２】
前記ジョブに画像読取部による読み取りの設定がされている場合、ジョブの出力を一時停止して、保守動作を実行する保守動作ジョブ停止モードにして前記ジョブの実行を可能にすることを特徴とする請求項１記載の画像形成装置。
【請求項３】
前記制御部は、前記ジョブが読み取りの設定がされているかを判定する場合、ジョブの全ページまたはページ単位で判定することを特徴とする請求項１または２に記載の画像形成装置。
【請求項４】
前記制御部は、ジョブのページ単位で読み取りの設定がされているかを判定する場合、ページ単位でモードの設定を行うことを特徴とする請求項３記載の画像形成装置。
【請求項５】
前記画像読取部が、少なくとも転写媒体の媒体面に応じて複数ある場合、前記制御部は、転写媒体の媒体面毎に画像読取部による読み取りの設定がされているかを判定することを特徴とする請求項１〜４のいずれか１項に記載の画像形成装置。
【請求項６】
前記制御部は、転写媒体の片面に画像形成を行う場合、画像読み取りに際し転写媒体の表裏を反転して、画像読み取りを行う画像読取部を切り替え、画像読み取りを行わない媒体面を読み取りの設定がされていないものと判定し、この媒体面側の画像読取部を保守動作の対象とすることを特徴とする請求項５記載の画像形成装置。
【請求項７】
ジョブにおける読み取りの要否は、ジョブに対するユーザーの指定または／およびジョブ作成時の設定により行われることを特徴とする請求項１〜６のいずれか１項に記載の画像形成装置。
【請求項８】
前記制御部は、ジョブの実行により使用される転写媒体とは異なる所定の転写媒体を使用する場合、所定の転写媒体に対し画像読取部による読み取りの設定を行わないことを特徴とする請求項１〜７のいずれか１項に記載の画像形成装置。
【請求項９】
前記所定の転写媒体が、ＪＡＭ解消後のクリーニング転写媒体、最高濃度確認チャートや片面にパッチ等を載せて色調整等を実施する場合の転写媒体裏面、ジョブアイドル時の転写媒体のいずれかであることを特徴とする請求項８記載の画像形成装置。
【請求項１０】
前記保守動作が前記画像読取部の調整処理または／および清掃処理であることを特徴とする請求項１〜９のいずれか１項に記載の画像形成装置。
【請求項１１】
前記保守動作ジョブ並行モードでは、自動実行またはユーザーの指示によって保守動作を実行することを特徴とする請求項１〜１０のいずれか１項に記載の画像形成装置。
【請求項１２】
前記保守動作ジョブ並行モードでは、予め設定されたスケジュールに基づいて保守動作を実行することを特徴とする請求項１〜１１のいずれか１項に記載の画像形成装置。
【請求項１３】
前記スケジュールは、保守動作の内容によって異なるスケジュールを有することを特徴とする請求項１２記載の画像形成装置。
【請求項１４】
前記制御部は、保守動作ジョブ並行モードであるかに応じて保守動作の開始時期を異にすることを特徴とする請求項１〜１３のいずれか１項に記載の画像形成装置。
【請求項１５】
前記制御部は、所定の条件によって前記ジョブの実行前に保守動作を実行することを特徴とする請求項１〜１４のいずれか１項に記載の画像形成装置。
【請求項１６】
前記所定の条件が、前回の保守動作から一定時間経過、ジョブ中に保守動作ジョブ並行モードを有していない、ジョブ中に保守動作ジョブ並行モードを有していても保守動作実行のタイミングまでに前回の保守動作から一定時間経過する、のいずれかであることを特徴とする請求項１５記載の画像形成装置。
【請求項１７】
前記所定の処理が画像形成調整であることを特徴とする請求項１〜１６のいずれか１項に記載の画像形成装置。
【請求項１８】
前記画像形成調整がジョブの実行に対しリアルタイムで行われることを特徴とする請求項１７記載の画像形成装置。
【請求項１９】
前記画像読取部と、前記画像読取部に対する保守動作を行う器具と、を有することを特徴とする請求項１〜１８のいずれか１項に記載の画像形成装置。
【請求項２０】
ジョブの画像データに基づいて転写媒体に画像形成を行う画像形成方法であって、
画像形成後の前記転写媒体を画像読取部で読み込んだ読取結果を取得して所定の処理を行うステップと、
前記画像読取部に対する保守動作の制御を行うステップと、を有し、
前記画像形成の前に、ジョブに画像読取部による読み取りの設定がされているかを判定し、読み取りの設定がされていない場合、保守動作をジョブの出力と並行して実行可能な保守動作ジョブ並行モードに設定してジョブの実行を可能にするステップと、を有することを特徴とする画像形成方法。
【請求項２１】
画像データに基づいて転写媒体に画像形成を行う画像形成部を有する画像形成装置を制御するコンピュータで実行されるプログラムであって、
画像形成後の前記転写媒体を画像読取部で読み込んだ読取結果を取得して所定の処理を行うステップと、
前記画像読取部に対する保守動作の制御を行うステップと、を有し、
前記画像形成の前に、ジョブに画像読取部による読み取りの設定がされているかを判定し、読み取りの設定がされていない場合、保守動作をジョブの出力と並行して実行可能な保守動作ジョブ並行モードに設定してジョブの実行を可能にするステップを有することを特徴とするプログラム。
【発明の詳細な説明】
【技術分野】
【０００１】
この発明は、画像形成後の転写媒体の画像読取結果を取得して所定の処理を行う画像形成装置、画像形成方法およびプログラムに関するものである。
【背景技術】
【０００２】
複写機、ファクシミリ、プリンタ、複合機などの画像形成装置では、設定された画像形成条件（画像形成位置、色、濃度など）に従い、ジョブに含まれる画像データに基づいて転写媒体に画像が出力される。画像形成条件は、画像形成装置の稼働に伴って一時的にまたは次第に変化したりすることがある。このため、各種の調整動作などにより品質維持を図っている。具体的には、画像形成装置が稼働する所定時間毎や所定印刷枚数毎などによって、パッチ画像やトンボなどの付加画像を転写媒体に出力し、出力画像のパッチをカラー濃度センサ等で検出して画像が適正に形成されているかを判定する。画像品質などにずれなどが生じている場合は、フィードバックにより階調・濃度むら・最高濃度・各色の位置や濃度ずれ等を補正して画像形成の調整を行っている。
【０００３】
さらには、出力画像より大きい用紙に印刷を行い、不要な部分を断裁して最終的な出力物を生成することがある。このような用紙において、原稿画像の枠外（断裁代など）にパッチやトンボを出力し、パッチやトンボなどをインラインセンサで読み込んで、リアルタイムで画質補正など（以降、リアルタイム調整）を行うものが知られている。リアルタイム調整では、余白領域に毎ページ、階調パッチなどの調整用画像を印刷し、調整用画像をインラインセンサで読みとって調整値を演算する。そして、その調整値を印刷中の画像にフィードバックして適用することにより、出力画像の画質の安定化を行うことが可能になっている
【０００４】
一方、画像を読み込む画像読取部では、用紙を搬送しながら画像の読み取りを行うため、画像読取部に埃や紙粉が付着しやすい。画像読取部に埃や紙粉が付着すると、印刷された画像に異常がない場合でも読取画像上に埃や紙粉に起因する画像が含まれてしまい、この読取画像に基づいて解析を行うと、画像に異常があると判定されてしまう。さらには、画像読取部では、経時的な変化や環境（温度など）条件などによって、発光、受光などの特性に変化が生じる場合がある。この状態で読取結果に基づいて画像形成部の補正を行うと、補正結果にバラツキが生じてしまい、その結果、印刷物の品質の安定性に影響を与えてしまうおそれがある。
【０００５】
このため、画像読取部では、キャリブレーション（校正）を行って、読取結果を補正したり、定期的に清掃したりする保守動作を行うことで、画像読み取りの正確性を図っている。
保守動作は、通常はジョブを実施していないジョブアイドルの状態で行うが、長時間をかけて印刷するようなジョブでは、ジョブの実行中に読取精度が変化して、出力物の品質維持を図ることができないおそれがある。このため特許文献１では、ジョブの実行中に一定間隔で自動キャリブレーションを実行することによって、大量の原稿を印刷する場合でも印刷結果の品質を維持することを可能にするものとしている。
【先行技術文献】
【特許文献】
【０００６】
【特許文献１】特開２０１４−２１９５０４号公報
【発明の概要】
【発明が解決しようとする課題】
【０００７】
しかし、特許文献１の方法では、ジョブの実行中は保守動作が必要な場合にジョブを停止させなければならない。このため、生産性を考慮して、ジョブアイドル中に保守動作を行っているのが現状である。したがって、連続してジョブを実行しているような場合には、保守動作を長い間実施できなくなるため、画像読取部で正確に画像を読み取れない、または、途中でジョブを中止しなければならないという課題がある。
【０００８】
本発明は、上記事情を背景としてなされたものであり、ジョブの実行中においても保守動作を行うことを可能にする画像形成装置、画像形成方法およびプログラムを提供することを目的の一つとしている。
【課題を解決するための手段】
【０００９】
本発明の画像形成装置のうち、第１の形態は、
画像データに基づいて転写媒体に画像形成を行う画像形成部と、
ジョブを管理して前記画像形成を制御し、さらに、画像形成後の前記転写媒体を画像読取部で読み込んだ読取結果を取得して所定の処理を行うとともに、前記画像読取部に対する保守動作の制御が可能な制御部と、を有し、
前記制御部は、前記ジョブに画像読取部による読み取りの設定がされているかを判定し、読み取りの設定がされていない場合、保守動作をジョブの出力と並行して実行可能な保守動作ジョブ並行モードにして前記ジョブの実行を可能にすることを特徴とする。
【００１０】
他の形態の画像形成装置の発明は、他の形態において、前記ジョブに画像読取部による読み取りの設定がされている場合、ジョブの出力を一時停止して、保守動作を実行する保守動作ジョブ停止モードにして前記ジョブの実行を可能にすることを特徴とする。
【００１１】
他の形態の画像形成装置の発明は、他の形態において、前記制御部は、前記ジョブが読み取りの設定がされているかを判定する場合、ジョブの全ページまたはページ単位で判定することを特徴とする。
【００１２】
他の形態の画像形成装置の発明は、他の形態において、前記制御部は、ジョブのページ単位で読み取りの設定がされているかを判定する場合、ページ単位でモードの設定を行うことを特徴とする。
【００１３】
他の形態の画像形成装置の発明は、他の形態において、前記画像読取部が、少なくとも転写媒体の媒体面に応じて複数ある場合、前記制御部は、転写媒体の媒体面毎に画像読取部による読み取りの設定がされているかを判定することを特徴とする。
【００１４】
他の形態の画像形成装置の発明は、他の形態において、前記制御部は、転写媒体の片面に画像形成を行う場合、画像読み取りに際し転写媒体の表裏を反転して画像読み取りを行う画像読取部を切り替え、画像読取を行わない媒体面を読み取りの設定がされていないものと判定し、この媒体面側の画像読取部を保守動作ジョブ並行モードの対象とすることを特徴とする。
【００１５】
他の形態の画像形成装置の発明は、他の形態において、ジョブにおける読み取りの要不要は、ジョブに対するユーザーの指定または／およびジョブ作成時の設定により行われることを特徴とする。
【００１６】
他の形態の画像形成装置の発明は、他の形態において、前記制御部は、ジョブの実行により使用される転写媒体とは異なる所定の転写媒体を使用する場合、所定の転写媒体に対し画像読取部による読み取りの設定を行わないことを特徴とする。
【００１７】
他の形態の画像形成装置の発明は、他の形態において、前記所定の転写媒体が、ＪＡＭ解消後のクリーニング転写媒体、最高濃度確認チャートや片面にパッチ等を載せて色調整等を実施する場合の転写媒体裏面、ジョブアイドル時の転写媒体のいずれかであることを特徴とする。
【００１８】
他の形態の画像形成装置の発明は、他の形態において、前記保守動作が前記画像読取部の調整処理または／および清掃処理であることを特徴とする。
【００１９】
他の形態の画像形成装置の発明は、他の形態において、前記保守動作ジョブ並行モードでは、自動実行またはユーザーの指示によって保守動作を実行することを特徴とする。
【００２０】
他の形態の画像形成装置の発明は、他の形態において、前記保守動作ジョブ並行モードでは、予め設定されたスケジュールに基づいて保守動作を実行することを特徴とする。
【００２１】
他の形態の画像形成装置の発明は、他の形態において、前記スケジュールは、保守動作の内容によって異なるスケジュールを有することを特徴とする。
【００２２】
他の形態の画像形成装置の発明は、他の形態において、前記制御部は、保守動作ジョブ並行モードであるかに応じて保守動作の開始時期を異にすることを特徴とする。
【００２３】
他の形態の画像形成装置の発明は、他の形態において、前記制御部は、所定の条件によって前記ジョブの実行前に保守動作を実行することを特徴とする。
【００２４】
他の形態の画像形成装置の発明は、他の形態において、前記所定の条件が、前回の保守動作から一定時間経過、ジョブ中に保守動作ジョブ並行モードを有していない、ジョブ中に保守動作ジョブ並行モードを有していても保守動作実行のタイミングまでに前回の保守動作から一定時間経過する、のいずれかであることを特徴とする。
【００２５】
他の形態の画像形成装置の発明は、他の形態において、前記所定の処理が画像形成調整であることを特徴とする。
【００２６】
他の形態の画像形成装置の発明は、他の形態において、前記画像形成調整がジョブの実行に対しリアルタイムで行われることを特徴とする。
【００２７】
他の形態の画像形成装置の発明は、他の形態において、前記画像読取部と、前記画像読取部に対する保守動作を行う保守部を有することを特徴とする。
【００２８】
本発明の画像形成方法のうち、第１の形態は、
ジョブの画像データに基づいて転写媒体に画像形成を行う画像形成方法であって、
画像形成後の前記転写媒体を画像読取部で読み込んだ読取結果を取得して所定の処理を行うステップと、
前記画像読取部に対する保守動作の制御を行うステップと、を有し、
前記画像形成の前に、ジョブに画像読取部による読み取りの設定がされているかを判定し、読み取りの設定がされていない場合、保守動作をジョブの出力と並行して実行可能な保守動作ジョブ並行モードに設定してジョブの実行を可能にするステップと、を有することを特徴とする。
【００２９】
本発明のプログラムのうち、第１の形態は、
画像データに基づいて転写媒体に画像形成を行う画像形成部を有する画像形成装置を制御するコンピュータで実行されるプログラムであって、
画像形成後の前記転写媒体を画像読取部で読み込んだ読取結果を取得して所定の処理を行うステップと、
前記画像読取部に対する保守動作の制御を行うステップと、を有し、
前記画像形成の前に、ジョブに画像読取部による読み取りの設定がされているかを判定し、読み取りの設定がされていない場合、保守動作をジョブの出力と並行して実行可能な保守動作ジョブ並行モードに設定してジョブの実行を可能にするステップを有することを特徴とする。
【発明の効果】
【００３０】
本発明によれば、画像形成後の転写媒体の画像読み取りを画像読取部で行う際に、生産性の低下を抑制しつつ画像読取部の保守を適正に行うことができる効果がある。
【図面の簡単な説明】
【００３１】
【図１】本発明の一実施形態の画像形成装置の概略を示す図である。
【図２】同じく、変更例の画像形成装置の概略を示す図である。
【図３】同じく、画像形成装置の制御ブロックを示す図である。
【図４】同じく、基本的な読み込み手順を示すフローチャートである。
【図５】他の実施形態において、所定のスケジュールで保守動作を行う手順を示すフローチャートである。
【図６】さらに他の実施例において、両面の画像読取部を有する装置において、片面印刷の用紙を、画像読取部を切り替えつつ読み込む際の手順を示すフローチャートである
【図７】さらに、他の実施例において、ジョブの実施前に保守動作を行う手順を示すフローチャートである。
【図８】本発明の実施形態においてジョブに画像読み取りの要否を設定する操作画面の例を示す図である。
【図９】さらに、他の実施形態において、プリンタドライバなどによってジョブに画像読み取りの要否の設定をする操作画面の例を示す図である。
【発明を実施するための形態】
【００３２】
以下に、本発明の一実施形態を添付図面に基づいて説明する。
図１は、本実施形態の画像形成装置１の機械的概略を示す図である。
画像形成装置１は、装置本体１０と読取装置２０とを備えている。
読取装置２０は装置本体１０の後段に接続され、装置本体１０と読取装置２０との間では用紙の搬送および通信が可能となっており、装置本体１０で用紙に対し画像形成が行われ、画像が形成された用紙は読取装置２０へ搬送され、読取装置２０において用紙上の画像の読み取りが行われる。読取装置２０の後段には反転装置３０が接続されて用紙を反転して排紙または下流側の装置に搬送することができる。
【００３３】
なお、本実施形態では、画像形成装置１に含まれる装置として、装置本体１０と読取装置２０と反転装置３０とが図示されているが、本発明の画像形成装置の構成はこれらの組み合わせに限定されるものではなく、読取装置を含まないで装置本体１０のみで画像形成装置１が構成されていてもよく、他の装置がさらに接続されているものであってもよい。例えば、装置本体１０の前段に大容量の給紙装置が接続されていてもよく、読取装置２０の後段側に後処理装置が接続されていてもよい。
なお、画像形成装置外に読取装置を有する場合、画像形成装置に読取装置が機械的にオンラインとなっているもののほか、機械的にオフラインとなっているものであってもよい。機械的なオフラインにおいては、画像形成装置と読取装置とを電気的に接続することができる。なお、以下では読取装置２０は適宜、ＩＣＣＵ（Ｉｍａｇｅ  Ｃａｌｉｂｒａｔｉｏｎ  Ｃｏｎｔｒｏｌ  Ｕｎｉｔ）と称して記載される。
【００３４】
装置本体１０は、筐体の上部に操作表示部１０６を有している。操作表示部１０６はタッチパネルを有するＬＣＤを有しており、ユーザーによる操作入力の受付および情報の表示が可能となっており、表示部と入力部とが一体になっている。なお、表示部と入力部とを別体にするものであってもよい。
【００３５】
装置本体１０の筺体の内部には、給紙トレイ２１０を有しており、給紙トレイ２１０内に画像形成を行う用紙が収納される。なお、給紙トレイは複数段で構成することができる。用紙は、本発明の転写媒体に相当する。なお、本発明としては転写媒体の材質は紙に限定されるものではなく、布やプラスチックからなるものでもよい。また、図示してはいないが、長尺な用紙などを筺体外から手差しトレイなどによって供給可能とするものであってもよい。
筺体内では、給紙トレイ２１０に搬送路２１５が接続されており、給紙トレイ２１０から供給される用紙を搬送ローラ２０９などによって搬送する。
【００３６】
搬送路２１５の途中には、画像形成部１０９が備えられている。
画像形成部１０９は、各色用（この形態では、シアン、マゼンタ、イエロー、ブラック）の感光体２０８、転写ローラ２０５、中間転写ベルト２０７、定着器２０６を有しており、各感光体２０８の周囲には、図示しない、帯電器、ＬＤ、現像部などが備えられている。
中間転写ベルト２０７は各色用の感光体２０８に接触可能に配置されており、搬送路２１５を挟んで、中間転写ベルト２０７の対向位置に転写ローラ２０５が配置されている。定着器２０６は転写ローラ２０５の下流側の搬送路２１５近くに配置されている。
【００３７】
画像形成部１０９では、ジョブのデータやパッチデータなどの付加画像に基づいてＬＤによって各色の感光体２０８に潜像が形成され、図示しない現像器によってトナー像が形成される。感光体２０８に形成されたトナー像は中間転写ベルト２０７に転写され、中間転写ベルト２０７上の画像は、転写ローラ２０５によって搬送路２１５上を搬送される用紙に転写される。用紙に転写された画像は、定着器２０６による加圧や熱により用紙に定着される。
【００３８】
搬送路２１５では、定着器２０６の下流側で反転搬送路２１５Ａが分岐している。分岐した反転搬送路２１５Ａは反転部２１１を含んでおり、反転搬送路２１５Ａは、画像形成部１０９の上流側で搬送路２１５と合流している。
用紙の片面に画像を形成する場合は、用紙は反転部２１１および反転搬送路２１５Ａに送られることなく下流側の読取装置２０へ搬送される。
用紙の両面に画像を形成する場合は、用紙の片面に画像形成した後、用紙を反転搬送路２１５Ａに送り、さらに反転部２１１へと搬送する。反転部２１１に送られた用紙は、後端側を先端にして反転搬送路２１５Ａの下流側に搬送する。用紙は、用紙の表裏が反転された状態で搬送路２１５に環流され、画像形成部１０９において用紙の裏面側に画像が形成される。上記構成により本発明の用紙反転機構が構成されている。
搬送路２１５の下流端は、読取装置２０の搬送路２２８に接続されている。
【００３９】
読取装置２０は、上流側で搬送路２１５に接続された搬送路２２８を有しており、搬送路２２８の下流側は反転装置３０に接続されている。
読取装置２０では、搬送路２２８に沿って、搬送路下面側に、用紙搬送方向に沿って、ラインセンサ２０２、対向板２０３がこの順で配置され、搬送路上面側に、ラインセンサ２０２に対向する位置に対向板２０４が配置され、対向板２０３に対向する位置にラインセンサ２０１が配置されている。
【００４０】
ラインセンサ２０１、ラインセンサ２０２はＣＣＤセンサ等によって構成することができ、用紙上の画像の読みとりを行うことができる。ラインセンサ２０１は用紙の上面の画像を読み取り、ラインセンサ２０２は用紙の下面の画像を読み取る。ラインセンサ２０１、２０２は、少なくとも用紙の幅内で用紙の読み取りを行うことができる幅方向長さを有している。ラインセンサ２０１、２０２は、本発明の画像読取部に相当する。また、図示していないが、ラインセンサ２０１、２０２には、付着した紙粉などを清掃する器具を有している。清掃方法は本発明としては特に限定されず、例えば、ブラシによる清掃、気体の噴射や振動による清掃等が挙げられる。これらのいずれかの方法によってラインセンサに付着した紙粉等の除去が可能であり、複数の清掃機能を備えるものであってもよい。
【００４１】
ラインセンサ２０１、２０２では、発光した光の反射光を受けて画像データを取得する。
対向板２０３、２０４は、回転可能になっており、異なる回転面に校正面と背景面とを有しており、用紙の読み取り時には、発光、受光するラインセンサに背景面を対向させ、校正を行う際には、発光、受光するラインセンサに校正面を対向させる。
【００４２】
ラインセンサ２０１では用紙の上面側の読み取りを行い、ラインセンサ２０２では用紙の下面側の読み取りを行う。
ラインセンサ２０１、２０２では、いずれか一方のみを使用してもよく、適宜の時期に動作を切り替えて読み取り動作を行うようにしてもよい。また、同時期に同じ用紙に対し、上面と下面の読み取りを行うようにしてもよい。ラインセンサ２０１、２０２の読取結果は、後述する制御部に送信される。
【００４３】
なお、本実施形態の画像形成装置１はラインセンサを２つ供え、用紙の上面および下面を同時に読み取り可能になっているが、一つのみのラインセンサを有する構成としてもよい。その場合、用紙の反転機構を読取装置２０内に設け、一つのラインセンサで用紙の両面の画像の読取を可能とするものであってもよい。
一つのラインセンサのみを有する画像形成装置１Ａを図２に基づいて説明する。なお、上記構成と同様の構成については同一の符号を付して説明を省略または簡略化する。
【００４４】
この例の画像形成装置１Ａでは、装置本体１０の後段に読取装置２０Ａが接続されている。
読取装置２０Ａは、上流側で搬送路２１５に接続された搬送路２２８を有しており、搬送路２２８の下流側は反転装置３０に接続されている。
読取装置２０Ａでは、搬送路２２８に沿って、搬送路上面側に、ラインセンサ２０１Ａが配置され、搬送路下面側に、ラインセンサ２０１Ａに対向する位置に対向板２０３Ａが配置されている。
ラインセンサ２０１ＡはＣＣＤセンサ等によって構成することができ、用紙上の画像の読みとりを行うことができる。ラインセンサ２０１Ａは用紙の上面の画像を読み取る。ラインセンサ２０１Ａは、少なくとも用紙の幅内で用紙の読み取りを行うことができる幅方向長さを有している。ラインセンサ２０１Ａは、本発明の画像読取部に相当する。
【００４５】
ラインセンサ２０１Ａでは、発光した光の反射光を受けて画像データを取得する。
対向板２０３Ａは、回転可能になっており、異なる回転面に校正面と背景面とを有しており、用紙の読み取り時には、発光、受光するラインセンサに背景面を対向させ、校正を行う際には、発光、受光するラインセンサに校正面を対向させる。
【００４６】
搬送路２２８では、ラインセンサ２０１Ａの下流側で反転搬送路２２８Ａが分岐している。分岐した反転搬送路２２８Ａは反転部２２９を含んでおり、反転搬送路２２８Ａは、ラインセンサ２０１Ａの上流側で搬送路２２８と合流している。
用紙の片面に画像が形成されている場合、画像が上面に位置する状態で用紙を搬送し、ラインセンサ２０１Ａで画像を読み取り、そのまま下流側に搬送する。
【００４７】
用紙の両面に画像が形成されている場合は、装置本体１０から搬送される用紙を搬送して上面側の画像をラインセンサ２０１Ａで読み込む。画像が読み取られた用紙は、搬送路２２８から反転搬送路２２８Ａに搬送され、さらに反転部２２９へと搬送し、反転部２２９に送られた用紙の後端側を先端に変えて反転搬送路２２８Ａの下流側に搬送する。用紙は、用紙の表裏が反転された状態で搬送路２２８に環流し、ラインセンサ２０１Ａで上面側に位置した用紙裏面の画像を読み込む。その後、用紙は搬送路２２８を経て反転装置３０へと搬送される。上記の手順によって一つのラインセンサによって用紙の両面を読み取ることができる。
【００４８】
次に、画像形成装置１の機能ブロックについて図３を参照して説明する。
画像形成装置１は、ラインセンサ制御部１０１、操作表示部１０６、画像調整部１０７、印刷制御部１０８、画像形成部１０９、用紙搬送部１１０、ラインセンサ２０１、２０２、対向板２０３、２０４を有している。
印刷制御部１０８には、ラインセンサ制御部１０１、操作表示部１０６、画像調整部１０７、画像形成部１０９、用紙搬送部１１０が接続されてそれぞれ印刷制御部１０８で制御可能となっており、ラインセンサ制御部１０１には、ラインセンサ２０１、２０２、対向板２０３、２０４が接続されて、それぞれラインセンサ制御部１０１で制御可能となっている。
なお、画像形成装置１Ａでは、ラインセンサ２０１、２０２、対向板２０３、２０４が、ラインセンサ２０１Ａ、対向板２０３Ａに変更される他は同様の機能構成を有している。
【００４９】
印刷制御部１０８は、ＣＰＵとＲＯＭやＲＡＭ、不揮発メモリーなどの記憶部によって構成されている。ＲＯＭにはＣＰＵで実行されるプログラムなどが格納され、不揮発メモリーには、画像形成装置の動作パラメータや、表裏位置調整や画質調整を実施するための制御パラメータ、画像読み取りの設定を行わない所定の用紙の設定、保守動作を行う際のスケジュール設定、開始時期、ジョブの開始前に保守動作を実行するための所定の条件設定、リアルタイム調整の設定、などが読み書き可能に格納されている。
また、印刷制御部１００では、読取結果を一時的に保存し、調整のための解析を行うためのメモリーを備えている。
【００５０】
印刷制御部１０８には、画像形成部１０９が制御可能に接続されている。印刷制御部１０８では、記憶部から画像データを読み出し、画像形成部１０９を制御することにより、用紙に画像を形成し、必要に応じて画像位置調整や画質調整などを行うことができる。
【００５１】
さらに印刷制御部１０８には、画像調整部１０７が接続されている。画像調整部１０７は、ラインセンサ２０１、２０２で読み取った画像の読取結果に基づいて画像形成の調整や画質の調整を行うことができる。画像調整部１０７は、ＣＰＵや、ＲＯＭやＲＡＭなどによって構成することができる。
【００５２】
印刷制御部１０８には、用紙搬送部１１０が接続されている。用紙搬送部１１０は給紙トレイ２１０から給紙された用紙を搬送する。用紙搬送部１１０には、搬送経路２１５、反転搬送経路２１５Ａおよび搬送路２２８、搬送ローラ２０９などによって構成されている。
【００５３】
印刷制御部１０８には、ラインセンサ制御部１０１が接続されている。ラインセンサ制御部１０１は、ラインセンサ２０１、２０２、および対向板２０３、２０４に制御可能に接続されている。ラインセンサ制御部１０１は、ラインセンサ２０１、２０２および対向板２０３、２０４の動作を制御して用紙の読み取りを行い、読み取りによって取得した画像データや検知結果を読取結果として受信して取得する。また、ラインセンサ２０１、２０２の調整や清掃の制御も可能である。
【００５４】
印刷制御部１０８は、本発明の制御部として機能し、その構成におけるハードウェアは、本発明のプログラムが実行されるコンピュータに相当する。
また、読取装置において、例えば上記したようなラインセンサ制御部１０１で前記転写媒体の読取結果を１または２以上の一部の所定領域に限定して利用可能にするものであってもよく、その場合、画像形成装置外の読取装置で同様の制御を行ってもよい。その場合、ラインセンサ制御部などで実行されるプログラムは、ラインセンサ制御部のハードウェアにおけるコンピュータで実行されるものであり、本発明の範囲に含まれることになる。
【００５５】
さらに、印刷制御部１０８には、操作表示部１０６が制御可能に接続されている。操作表示部１０６では、各種設定の受付が可能であり、ジョブにおける読み取りの要否の設定をジョブ単位やジョブのページ毎に設定をすることができる。
【００５６】
また、画像形成装置では、ネットワークやケーブルなどによって外部装置と接続して使用することができる。
外部装置３は、外部装置制御部３００と、外部装置操作部４１０とを備えている。外部装置制御部３００は、外部装置３全体を制御するものであり、ＣＰＵとＣＰＵ上で動作するプログラム、動作パラメータを格納した記憶部などにより構成される。
外部装置３では、画像形背装置をプリンタとして使用する場合、外部装置３でプリンタドライバなどによってジョブ情報を作成したジョブを画像形成装置に送信して印刷を行うことができる。ジョブ情報には、読み取りの要否を含むことができる。
【００５７】
さらに外部装置４では、画像読取装置の保守動作などを含む動作制御を行うことができ、情報処理装置として用いることができる。この場合、外部装置御部３００のハードウェアをコンピュータとして実行されるプログラムは、本発明のプログラムに相当する。
なお、画像形成装置や画像読取装置、外部装置などで使用される本発明のプログラムは、持ち運び可能な記憶部などに格納されて流通、移動するものであってもよい。
【００５８】
ＩＣＣＵでの画像読み取りが必要な例：通常ジョブについて説明する。
通常ジョブはヤレや色ずれ等の解析が必要なため、全ページで、従来のＩＣＣＵ制御と同様に、毎ページＩＣＣＵで画像データを読み取り、読み取り画像から補正値を生成して次ページにフィードバックをかけるのが望ましい。また、ユーザーの設定などによって、読み取り不要ページが設定されていれば、そのページのみ、保守動作ジョブ並行モードとして動作することができる。
【００５９】
本発明の読み取り動作を行う基本的な手順を図４のフローチャートに基づいて説明する。以下の手順は制御部の制御によって実行される。
なお、開始に先立って制御部ではジョブの解析が行われている。ジョブの枚数はｎ枚であり、ジョブの枚数を示すＮの初期値は１とする。
手順開始に伴って、ジョブのページ枚数に従って、１枚からｎ枚まで処理が繰り返される（ステップＳ１−Ｓ７）。先ず、当該ページにおいてＩＣＣＵ（画像読取装置、以下同じ）による読み取りフラグがあるかを判定する（ステップＳ２）。当該ページで読み取りフラグがあれば（ステップＳ２、Ｙ）、保守動作を保守動作ジョブ停止モードに設定し、ＩＣＣＵで画像データ読み取りを行う制御を行う（ステップＳ３）。読取結果を取得して、読取結果に基づいて画像濃度や画像位置、色ずれの補正量などの補正値を生成し（ステップＳ４）、フィードバックにより次ページまたは補正が間に合うページに対し画像補正の実施を行う（ステップＳ５）。次にステップＳ７に移行して、ページ枚数がｎに達していなければ、ステップＳ１に戻ってＮに１を加算して次ページを対象にして同様の処理を継続する。ページ枚数がｎに達していれば手順を終了する。
【００６０】
該当ページでＩＣＣＵ読み取りフラグがない場合（ステップＳ２、Ｎ）、保守動作を保守動作ジョブ並行モードに設定し、ＩＣＣＵの調整・清掃を実施可能にする（ステップＳ６）。
なお、調整・清掃は自動で直ちに行ってもよく、所定のスケジュールの場合に行うようにしてもよい。また、調整と清掃とは異なるスケジュールで行ってもよく、さらには、調整は自動で直ちに行い、清掃はスケジュールに従って行うなどとしてもよい。さらには、ユーザーによる指示に従って調整や清掃を実行するようにしてもよい。その後、ステップＳ７に移行する。ステップＳ７では、ページ枚数がｎに達していなければ、ステップＳ１に戻ってＮに１を加算して、次ページを対象にして同様の処理を継続する。ページ枚数がｎに達していれば手順を終了する。
【００６１】
上記の例では、保守動作ジョブ並行モードでは、ジョブ中に保守動作を行わないものとして説明したが、ジョブ中にＩＣＣＵの調整・清掃タイミングになれば、ＩＣＣＵでの画像読み取り前にジョブを停止して行うようにしてもよい。
以下に、制御手順を図５のフローチャートに基づいて説明する。以下の手順は制御部の制御によって実行される。
なお、開始に先立って制御部ではジョブの解析が行われ、ジョブの読み取りの要否が確認されてジョブ単位またはページ単位でフラグがたてられている。ジョブの枚数はｎ枚であり、ジョブの枚数を示すＮの初期値は１とする。
【００６２】
手順開始に伴って、ジョブのページ枚数に従って、１枚からｎ枚まで処理が繰り返される（ステップＳ１０−Ｓ１８）。先ず、当該ページにおいてＩＣＣＵによる読み取りフラグがあるかを判定する（ステップＳ１１）。当該ページで読み取りフラグがあれば（ステップＳ１１、Ｙ）、保守動作を保守動作ジョブ停止モードに設定し、ＩＣＣＵの調整・清掃タイミングかを判定する（ステップＳ１２）。調整・清掃タイミングでなければ（ステップＳ１２、Ｎ）、ＩＣＣＵで画像データを読み込む（ステップＳ１４）。
ＩＣＣＵの調整・清掃タイミングである場合（ステップＳ１２、Ｙ）、ジョブを停止してＩＣＣＵの調整・清掃を実施する（ステップＳ１３）。なお、清掃と調整のタイミングが異なる場合には、それぞれのタイミングに応じて実施を行う。
ＩＣＣＵの調整・清掃の実施（ステップＳ１３）後、ＩＣＣＵで画像データを読み込む（ステップＳ１４）。
【００６３】
画像データの読み取り（ステップＳ１４）後、読取結果を取得して、読取結果に基づいて画像濃度や画像位置、色ずれの補正量などを生成し（ステップＳ１５）、フィードバックにより次ページまたは補正が間に合うページに対し画像補正の実施を行う（ステップＳ１６）。その後、ステップＳ１８に移行する。ページ枚数Ｎがｎに達していなければ、ステップＳ１０に戻ってＮに１を加算し、次ページを対象にして同様の処理を継続する。
【００６４】
また、ステップＳ１１で、該当ページでＩＣＣＵ読み取りフラグがない場合（ステップＳ１１、Ｎ）、保守動作を保守動作ジョブ並行モードに設定し、ＩＣＣＵの調整・清掃を実施可能にする。（ステップＳ１７）
なお、調整・清掃は自動で直ちに行ってもよく、所定のスケジュールの場合に行うようにしてもよい。また、調整と清掃とは異なるスケジュールで行ってもよく、さらには、調整は自動で直ちに行い、清掃はスケジュールに従って行うようにしてもよい。さらには、ユーザーによる指示に従って実行するようにしてもよい。
【００６５】
その後、ステップＳ１８に移行する。ステップＳ１８でページ枚数がｎに達していなければ、ステップＳ１０に戻ってＮに１を加算して次ページを対象にして同様の処理を継続する。
【００６６】
次に、ＩＣＣＵでの画像読み取りが不要な例：クリーニング通紙などの場合について説明する。
クリーニング通紙時は正しく印刷されたかのチェックは不要なため、ＩＣＣＵでの画像読み取りは実施しなくてもよい。すなわち、図５のフローチャートでは、ステップＳ１１はＮとなる。よって、その用紙では、保守動作並行モードとして動作させ、ジョブ中にＩＣＣＵの調整・清掃を実施可能にする。ただし、調整モード内で調整・清掃が実施完了しない場合は、調整・清掃が完了するまでジョブを止める制御にしてもよい。ＩＣＣＵでの画像読み取りが不要な例として、他に最高濃度確認チャートや片面にパッチ等を載せて色調整等を実施する場合の裏面、ジョブアイドル、ＪＡＭ処理時、その他調整時などが挙げられる。
【００６７】
次に、用紙反転機構を利用することでジョブを停止させずにＩＣＣＵの調整・清掃を実施する例を説明する。
両面読み取りのＩＣＣＵを搭載している場合、片面にのみ印刷された用紙を読み込む際には、他面側のＩＣＣＵは画像を読み込む必要がない。よって、他面側の画像読取部に関しては常時ＩＣＣＵの調整・清掃が可能となる。前記特徴を利用して、ＩＣＣＵの調整タイミングになったとしても、片面印刷の場合は、用紙を適宜時期に反転させ（機内の両面印刷機構を利用して反転、または、反転装置にて反転など）、裏面のＩＣＣＵを利用させることで、ジョブを停止することなく調整・清掃が必要な面のＩＣＣＵの調整・清掃が可能となる。なお、用紙の反転時期は１枚毎でもよく、また、予め設定した枚数毎で行ってもよい。また、調整と清掃でスケジュールが異なる場合には、それぞれを考慮して反転時期を定めるようにしてもよい。
【００６８】
次に上記動作の手順を図６のフローチャートに基づいて説明する。以下の手順は制御部の制御によって実行される。
なお、開始に先立って制御部ではジョブの解析が行われる。ジョブの枚数はｎ枚であり、ジョブの枚数を示すＮの初期値は１とする。
手順開始に伴って、ジョブのページ枚数に従って、１枚からｎ枚まで処理が繰り返される（ステップＳ２０−Ｓ３２）。先ず、当該ページにおいてＩＣＣＵによる読み取りフラグがあるかを判定する（ステップＳ２１）。当該ページで読み取りフラグがあれば（ステップＳ２１、Ｙ）、保守動作を保守動作ジョブ停止モードに設定し、ＩＣＣＵの調整・清掃タイミングであるかを判定する（ステップ２２）。
【００６９】
調整・清掃タイミングである場合（ステップＳ２２、Ｙ）、片面印刷かを判定する（ステップＳ２３）。片面印刷でなければ（ステップＳ２３、Ｎ）、すなわち両面印刷であれば、ジョブを停止してＩＣＣＵの調整・清掃を実施し（ステップＳ２４）、ＩＣＣＵで画像データの読み取りを行う（ステップＳ２８）。
ステップＳ２２でＩＣＣＵの調整・清掃タイミングでない場合（ステップＳ２２、Ｎ）、ステップＳ２８に移行してＩＣＣＵで画像データの読み取りを行う。
【００７０】
ステップＳ２３で、片面印刷である場合（ステップＳ２３、Ｙ）、画像読取前に用紙を反転し（ステップＳ２６）、ＩＣＣＵのうち、画像読み取りを行わないラインセンサで調整・清掃を実施し（ステップＳ２７）、ＩＣＣＵで画像データの読取を行う（ステップＳ２８）。ステップＳ２７では、ジョブを停止することなく調整・清掃の保守動作を行うことができる。用紙の反転は常時行わず、上記したように適宜のタイミングで用紙を反転するようにしてもよい。
ステップＳ２８の画像読み取り後、読取結果を取得して、読取結果に基づいて画像濃度や画像位置、色ずれの補正量などの補正値を生成し（ステップＳ２９）、フィードバックにより次ページまたは補正が間に合うページに対し画像補正の実施を行う（ステップＳ３０）。次いでステップＳ３２に移行してページ枚数がｎに達していなければ、ステップＳ２０に戻ってＮに１を加算して次ページを対象にして同様の処理を継続する。ページ枚数がｎに達していれば処理を終了する。
【００７１】
ステップＳ２１で、ＩＣＣＵ読み取りフラグがない場合（ステップＳ２１、Ｎ）、保守動作を保守動作ジョブ並行モードに設定し、ＩＣＣＵの調整・清掃を実施可能にする（ステップＳ３１）。
なお、調整・清掃は自動で直ちに行ってもよく、所定のスケジュールの場合に行うようにしてもよい。また、調整と清掃とは異なるスケジュールで行ってもよく、さらには、調整は自動で直ちに行い、清掃はスケジュールに従って行うようにしてもよい。さらには、ユーザーによる指示に従って実行するようにしてもよい。
その後、ステップＳ３２に移行する。ステップＳ３２でページ枚数がｎに達していなければ、ステップＳ２０に戻ってＮに１を加算して次ページを対象にして同様の処理を継続する。ページ枚数がｎに達していれば手順を終了する。
【００７２】
この実施形態では、両面の画像読取が可能な装置では、使用する画像読取部を切り替えて、それぞれの画像読取部でジョブを停止することなく保守動作を実行することが可能になる。
【００７３】
次に、ジョブ中に含まれる調整モードの有無によって、ＩＣＣＵの調整・清掃タイミングを変更する例を記載する。
ＩＣＣＵの調整・清掃を実施するタイミングとして、ＪＯＢ開始時、一定時間（例：１時間おき）、ＩＣＣＵの扉を閉めたときなどが挙げられる。ＪＯＢ開始時の調整・清掃に着目すると、ＪＯＢ中に調整モードが存在し、該当ページの印刷までに前回の調整・清掃タイミングから一定時間経過しないと予測できれば、ＪＯＢ開始前に調整・清掃を実施しなくてもＩＣＣＵの読み取り精度は劣化しないと判断可能となる。よって、前記条件などを満たす際は、ジョブ実行前のＩＣＣＵの調整・清掃を実施しないでジョブの実行を開始することができる。
【００７４】
以下に、上記動作の手順を図７のフローチャートに基づいて説明する。以下の手順は制御部の制御によって実行される。
手順開始に伴って、ジョブが受信され（ステップＳ４０）、受信されたジョブの解析が行われる（ステップＳ４１）。
ジョブの解析で、前回の保守動作から一定時間経過、ジョブ中に保守動作ジョブ並行モードを有していない、ジョブ中に保守動作ジョブ並行モードを有していても保守動作実行のタイミングまでに前回の保守動作から一定時間経過する、のいずれかの条件を満たしているかを判定する。条件を満たしている場合、ＩＣＣＵの調整・清掃を実施し（ステップＳ４２）、ジョブのページ枚数に従って、１枚からｎ枚まで処理が繰り返される（ステップＳ４３−Ｓ５１）。ジョブの枚数はｎ枚であり、ジョブの枚数を示すＮの初期値は１とする。
【００７５】
先ず、当該ページにおいてＩＣＣＵによる読み取りフラグがあるかを判定する（ステップＳ４４）。当該ページで読み取りフラグがあれば（ステップＳ４４、Ｙ）、動作を保守動作ジョブ停止モードに設定し、ＩＣＣＵの調整・清掃タイミングかを判定する（ステップ４５）。調整・清掃タイミングでなければ（ステップＳ４５、Ｎ）、ＩＣＣＵで画像データを読み込む（ステップＳ４７）。
ＩＣＣＵの調整・清掃タイミングである場合（ステップＳ４５、Ｙ）、ジョブを停止してＩＣＣＵの調整・清掃を実施する（ステップＳ４６）。なお、清掃と調整のタイミングが異なる場合には、それぞれのタイミングに応じて実施を行う。
ＩＣＣＵの調整・清掃の実施（ステップＳ４６）後、ＩＣＣＵで画像データを読み込む（ステップＳ４７）。
【００７６】
画像データの読み取り（ステップＳ４７）後、読取結果を取得して、読取結果に基づいて画像濃度や画像位置、色ずれの補正量などを生成し（ステップＳ４８）、次ページまたは補正が間に合うページに対し画像補正の実施を行う（ステップＳ４９）。その後、ステップＳ５１に移行し、ページ枚数がｎに達していなければ、ステップＳ４３に戻ってＮに１を加算して次ページを対象にして同様の処理を継続する。ページ枚数がｎに達していれば、手順を終了する。
また、ステップＳ４４で、該当ページでＩＣＣＵ読み取りフラグがない場合（ステップＳ４４、Ｎ）、保守動作を保守動作ジョブ並行モードに設定し、ＩＣＣＵの調整・清掃を実施可能にする（ステップＳ５０）。
なお、調整・清掃は自動で直ちに行ってもよく、所定のスケジュールの場合に行うようにしてもよい。また、調整と清掃とは異なるスケジュールで行ってもよく、さらには、調整は自動で直ちに行い、清掃はスケジュールに従って行うようにしてもよい。さらには、ユーザーによる指示に従って実行するようにしてもよい。
その後、ステップＳ５１に移行する。ステップＳ５１でページ枚数がｎに達していなければ、ステップＳ４３に戻ってＮに１を加算して次ページを対象にして同様の処理を継続する。ｎに達していれば手順を終了する。
【００７７】
次に、ＩＣＣＵ読み取りフラグ設定方法を図８、９に基づいて説明する。
図８は、操作表示部のパネルにおいて設定をする例を説明する。
図８は、操作表示部に表示された設定画面１４００を示すものである。
設定画面では、ジョブの個別設定変更に関するものであり、画面にはＩＣＣＵ読み取り設定釦１４１０が押下可能に設けられている。該釦が押下されると、さらに「要」釦１４１１と「不要」釦１４１２とがそれぞれ択一して押下できるように表示される。
【００７８】
「要」釦１４１１、「不要」１４１２のいずれかが押下されてＯＫ釦１４２０が押下されると、設定内容が確定し、キャンセル釦１４２１が押下されると現表示に設定された内容がキャンセルされる。なお、デフォルトでいずれかが選択された状態にしておき、設定がされない場合にはデフォルトの設定が維持されるようにする。
ＩＣＣＵ読み取りは、この操作画面では例えば、ＰＩ挿入紙の設定などに用いることができる。また、ジョブ全体に適用するものや、ページを指定して要、不要の設定を行えるようにしてもよい。その場合、全ページに対し、デフォルトで要、不要が設定されていれば、必要なページのみをこれと異なる設定にすることができる。
【００７９】
図９は、プリンタドライバで設定する際の設定画面の一部を示すものであり、ＩＣＣＵ読み取り設定画面１５００を示す。読み取り設定画面１５００には、３つの釦を有するラジオ釦群１５０１が択一的に選択可能に表示されている。上部のラジオボタンは、全ページ読み取りを行うものであり、その下部のラジオボタンは、全ページ読み取りをしないものである。最下部のラジオボタンはページ指定で読み取りを行わない設定をするものであり、他のページは読み取りを行う設定になっている。また、これと逆に、ページ指定で読み込みを行うページを指定し、その他は読み取りを行わない設定であってもよい。このラジオボタンの右側には、指定するページを入力するページ入力欄１５０２が設けられている。ページ番号は、図示しないテンキーなどを用いて入力を行うことができる。ページ指定では、単一のページの他、複数のページを指定できるものであってもよい。
操作パネルやプリンタドライバで設定された内容は、ジョブにジョブ情報として含まれ、印刷に際し参照されて制御などに利用される。
【００８０】
以上、本発明について、上記実施形態に基づいて説明を行ったが、本発明の範囲は上記説明の内容に限定されるものではなく、本発明の範囲を逸脱しない限りは上記実施形態に対する適宜の変更が可能である。
【符号の説明】
【００８１】
１    画像形成装置
１Ａ  画像形成装置
１０    装置本体
２０    読取装置
１０１    ラインセンサ制御部
１０６    操作表示部
１０７    画質調整部
１０８    印刷制御部
１０９    画像形成部
１１０    用紙搬送部
２０１    ラインセンサ
２０１Ａ  ラインセンサ
２０２    ラインセンサ
【図１】
2018124348.tif 000003
【図２】
2018124348.tif 000004
【図３】
2018124348.tif 000005
【図４】
2018124348.tif 000006
【図５】
2018124348.tif 000007
【図６】
2018124348.tif 000008
【図７】
2018124348.tif 000009
【図８】
2018124348.tif 000010
【図９】
2018124348.tif 000011